(57)【特許請求の範囲】
【請求項１】
室外側向きに開口された係合溝を備えた取付部材を躯体に取付け、
該取付部材の係合溝に、片面に軟質部材を固着した２つの目地部材を、各軟質部材がそれぞれ隣接するサイディングの端面に対向するように装着し、
前記２つの目地部材間に、目地かくし部材の支持部を圧入して前記目地部材を前記取付部材の係合溝に係止させると共に、該支持部に設けた被係止部を前記目地部材に設けた係止部に係止させて目地かくし部材を抜け止めし、
前記目地かくし部材の屋外片によりサイディング間の隙間を覆い、
前記２つの目地部材にそれぞれ固着した軟質部材をそれぞれ対向するサイディングの端面と前記目地部材との間で圧縮してなるサイディング用目地役物を備えた
ことを特徴とするサイディング端部の目地構造。
【請求項２】
室外側向きに開口された係合溝を備えると共に、前記係合溝よりも室外側に突出した突出片を有する取付部材を躯体に取付け、
該取付部材の係合溝に、片面に軟質部材を固着した目地部材を、該軟質部材がサイディングの端面に対向するように装着し、
前記突出片と前記目地部材との間に、目地かくし部材の支持部を圧入して前記目地部材を前記取付部材の係合溝に係止させると共に、該支持部に設けた被係止部を前記突出片または前記目地部材の少なくともいずれか一方に設けた係止部に係止させて該目地かくし部材を抜け止めし、
前記目地かくし部材の屋外片によってサイディング端部と躯体との間の隙間を覆い、
前記目地部材に固着した軟質部材を対向するサイディングの端面と前記目地部材との間で圧縮してなるサイディング用目地役物を備えた
ことを特徴とするサイディング端部の目地構造。
【請求項３】
室外側向きに開口された係合溝を備えると共に、前記係合溝よりも室外側に突出した突出片を有する取付部材を、開口部建具枠を設ける躯体に取付け、
該取付部材の係合溝に、片面に軟質部材を固着した目地部材を、該軟質部材がサイディングの端面に対向するように装着し、
前記突出片と前記目地部材との間に、目地かくし部材の支持部を圧入して前記目地部材を前記取付部材の係合溝に係止させると共に、該支持部に設けた被係止部を前記突出片または前記目地部材の少なくともいずれか一方に設けた係止部に係止させて該目地かくし部材を抜け止めし、
前記目地かくし部材の屋外片によってサイディング端部と前記開口部建具枠との隙間を覆い、
前記目地部材に固着した軟質部材を対向するサイディングの端面と目地部材との間で圧縮してなるサイディング用目地役物を備えた
ことを特徴とするサイディング端部の目地構造。
【請求項４】
開口部建具枠に、室外側向きに開口された係合溝と、該係合溝よりも室外側に突出した突出片を設け、
前記開口部建具枠の係合溝に、片面に軟質部材を固着した目地部材を、該軟質部材がサイディングの端面に対向するように装着し、
前記突出片と前記目地部材との間に、目地かくし部材の支持部を圧入して前記目地部材を前記取付部材の係合溝に係止させると共に、該支持部に設けた被係止部を前記突出片または前記目地部材の少なくともいずれか一方に設けた係止部に係止させて該目地かくし部材を抜け止めし、
前記目地かくし部材の屋外片によってサイディング端部と前記開口部建具枠との隙間を覆うと共に、
前記目地部材に固着した軟質部材を対向するサイディングの端面と目地部材との間で圧縮した
ことを特徴とするサイディング用目地役物。
【発明の詳細な説明】
【０００１】
【発明の属する技術分野】
本発明は、住宅の外壁面を覆うサイディングの端部の目地構造と、サイディングの端部間の隙間、あるいはサイディングと開口部建具枠あるいは躯体との間の隙間を気水密構造で覆う目地役物に関する。
【０００２】
【従来の技術】
住宅の外壁を覆うサイディングの端部間の隙間には、この部分からの水の浸入や空気の出入りを防止するため、目地材が設けられる。従来は一般にこの目地材としてシリコン樹脂からなる湿式のシール材が用いられてきた。一方、乾式のものとして、図７の水平断面図に示す構造のものが、特開平８−１３５１３２号公報に開示されている。
【０００３】
図７において、３５は柱、３６は間柱、３７はこれらの室外側に張られたシート状の防水材、３８は柱３５や間柱３６に釘等の固定具により固定されるスペーサである。３９は柱３５にねじ等の固定具により固定される形材でなる取付部材、４０、４１は取付部材３９の溝部４２の両面に設けたスポンジ等の軟質部材、４４は目地かくし部材である。サイディング６の取付けは、その一端を矢印ａに示すように一方の軟質部材４０に押しつけ、その後、サイディング６の他端を矢印ｂに示すように他方の軟質部材４１に対向するように押し込み、その後軟質部材４０、４１の圧縮度が均等になるように矢印ｃのように動かしてねじや釘等の固定具によりスペーサ３８に固定する。その後、サイディング６、６間の隙間を覆うため、目地かくし部材４４の支持部４５を前記溝部４２に押し込む。
【０００４】
【発明が解決しようとする課題】
上述した従来技術のうち、サイディング間等にシリコン樹脂等のシール材を充填する湿式の目地材は、シール材の乾燥に時間を要し、施工に時間がかかるという問題点がある。
【０００５】
また、図７のように、取付部材３９、３９間のサイディング６を軟質部材４０、４１を介して押し込む構造のものは、軟質部材４０、４１の圧縮度が低くなり、気水密性が低下するという問題点がある。特にサイディング６が窯業系のものである場合、工場出荷時に１５％程度の含水率を有するものが、最終的には含水率が１０％程度に低下し、これに伴い３０００ｍｍ程度の長さのサイディングの場合、２〜３ｍｍの収縮を生じ、例えば１０ｍｍ幅の軟質部材４０、４１のものを３ｍｍ程度圧縮させて使用すると、圧縮度の低下やばらつきにより、水密性を低下させるおそれがある。また、一たんサイディング６を施工した後、部分的に軟質部材４０、４１の損傷あるいは劣化が生じて交換しようとしても、軟質部材４０、４１の交換のためには、サイディング６を取り外し、取付部材３９もスペーサ３７から取り外さなければならないため、非常に交換が困難であるという問題点がある。
【０００６】
本発明は、上記問題点に鑑み、施工が早く、メンテナンスが容易であり、気水密性すなわち雨仕舞が充分な構成のサイディング端部の目地構造およびサイディング用目地役物を提供することを目的とする。
【０００７】
【課題を解決するための手段】
請求項１のサイディング端部の目地構造は、室外側向きに開口された係合溝を備えた取付部材を躯体に取付け、
該取付部材の係合溝に、片面に軟質部材を固着した２つの目地部材を、各軟質部材がそれぞれ隣接するサイディングの端面に対向するように装着し、
前記２つの目地部材間に、目地かくし部材の支持部を圧入して前記目地部材を前記取付部材の係合溝に係止させると共に、該支持部に設けた被係止部を前記目地部材に設けた係止部に係止させて目地かくし部材を抜け止めし、
前記目地かくし部材の屋外片によりサイディング間の隙間を覆い、
前記２つの目地部材にそれぞれ固着した軟質部材をそれぞれ対向するサイディングの端面と前記目地部材との間で圧縮してなるサイディング用目地役物を備えた
ことを特徴とする。
【０００８】
請求項２のサイディング端部の目地構造は、室外側向きに開口された係合溝を備えると共に、前記係合溝よりも室外側に突出した突出片を有する取付部材を躯体に取付け、
該取付部材の係合溝に、片面に軟質部材を固着した目地部材を、該軟質部材がサイディングの端面に対向するように装着し、
前記突出片と前記目地部材との間に、目地かくし部材の支持部を圧入して前記目地部材を前記取付部材の係合溝に係止させると共に、該支持部に設けた被係止部を前記突出片または前記目地部材の少なくともいずれか一方に設けた係止部に係止させて該目地かくし部材を抜け止めし、
前記目地かくし部材の屋外片によってサイディング端部と躯体との間の隙間を覆い、
前記目地部材に固着した軟質部材を対向するサイディングの端面と前記目地部材との間で圧縮してなるサイディング用目地役物を備えた
ことを特徴とする。
【０００９】
請求項３のサイディング端部の目地構造は、室外側向きに開口された係合溝を備えると共に、前記係合溝よりも室外側に突出した突出片を有する取付部材を、開口部建具枠を設ける躯体に取付け、
該取付部材の係合溝に、片面に軟質部材を固着した目地部材を、該軟質部材がサイディングの端面に対向するように装着し、
前記突出片と前記目地部材との間に、目地かくし部材の支持部を圧入して前記目地部材を前記取付部材の係合溝に係止させると共に、該支持部に設けた被係止部を前記突出片または前記目地部材の少なくともいずれか一方に設けた係止部に係止させて該目地かくし部材を抜け止めし、
前記目地かくし部材の屋外片によってサイディング端部と前記開口部建具枠との隙間を覆い、
前記目地部材に固着した軟質部材を対向するサイディングの端面と目地部材との間で圧縮してなるサイディング用目地役物を備えた
ことを特徴とする。
【００１０】
請求項４のサイディング用目地役物は、開口部建具枠に、室外側向きに開口された係合溝と、該係合溝よりも室外側に突出した突出片を設け、
前記開口部建具枠の係合溝に、片面に軟質部材を固着した目地部材を、該軟質部材がサイディングの端面に対向するように装着し、
前記突出片と前記目地部材との間に、目地かくし部材の支持部を圧入して前記目地部材を前記取付部材の係合溝に係止させると共に、該支持部に設けた被係止部を前記突出片または前記目地部材の少なくともいずれか一方に設けた係止部に係止させて該目地かくし部材を抜け止めし、
前記目地かくし部材の屋外片によってサイディング端部と前記開口部建具枠との隙間を覆うと共に、
前記目地部材に固着した軟質部材を対向するサイディングの端面と目地部材との間で圧縮した
ことを特徴とする。
【００１１】
本発明においては、軟質部材を固着した２つの目地部材間（請求項１）、または目地部材と取付部材の突出片との間（請求項２、３）、もしくは目地部材と開口部建具枠に設けた突出片との間（請求項４）に、目地かくし部材の支持部を押し込むことによって目地かくし部材を固定し、これにより軟質部材をサイディング端面に押しつけるようにしたので、軟質部材の圧縮度が上がる。また、軟質部材を固着した目地部材は、取付部材に対して着脱自在であるため、軟質部材を取付部材と共に交換することが可能であり、メンテナンスが容易となる。
【００１２】
【発明の実施の形態】
図１は本発明のサイディング端部の目地構造の適用例を示す建物壁面の斜視図である。図１において、６は住宅の外壁を覆うサイディングである。３０はサイディング６、６間に設けられた目地役物、３１は屋根５２の軒からの突出部の下面に設けられるプレート４８と最上部サイディング６の上端部との間に設けられた目地役物、３４はサイディング６の端部と開口部建具３２の枠３３との間に設けられた目地役物である。
【００１３】
図２（Ａ）〜（Ｄ）は、図１に示したサイディング６、６間に設けられる本発明によるサイディング用目地役物３０の一実施の形態を、組立工程と共に示す水平断面図である。図２（Ａ）において、３５は柱、３６は間柱、３７はこれらの室外側に張られたシート状の防水材、３８は柱３５や間柱３６に釘等の固定具により固定されるスペーサである。
【００１４】
１は柱３５にねじ等の固定具４６により固定された押出形材からなる取付部材であり、該取付部材１は、例えば建物の外壁面のサイディング６の取付面の上下方向の全長にわたって設けられる。２は取付部材１に室外側に向けて開口された係合溝である。
【００１５】
３は押出形材でなる目地部材であり、該目地部材３もサイディング取付面の上下方向全長にわたって設けられる。各目地部材３の片面にはスポンジ等の軟質部材４が固着される。各目地部材３の室内側端部には、前記係合溝２に係止する係止部３ａを有し、室外側端部には、後述の目地かくし部材５の支持部５ａの先端に設けた被係止部５ｂを係止する係止部３ｂを有する。目地かくし部材５も硬質塩化ビニル等の合成樹脂製あるいは硬質ゴム製押出形材でなり、取付面の上下方向の全長にわたり設けられる。目地かくし部材５の屋外片５ｃはサイディング６、６間の隙間を覆うことができる幅を有する。
【００１６】
この目地役物は、図２（Ａ）に示すように、柱３５に取付部材１を固定具４６により固定すると共に、サイディング６をスペーサ３７にブラケットや固定具（いずれも図示せず）により固定しておく。
【００１７】
次に図２（Ｂ）に示すように、サイディング６、６間より、目地部材３、３を、軟質部材４がサイディング６の端面に対向するように、それぞれその先端の係止部３ａを取付部材１の係合溝２に係止する。
【００１８】
次に図２（Ｂ）、（Ｃ）に示すように、ゴム等の伸縮部材でなるバックアップ材７を、２つの目地部材３、３をドライバ等の工具でこじあけてその間に押し込むことにより、目地部材３、３間に隙間をあける。これにより、目地部材３の係止部３の係止部３ａが係合溝２、２間の係止部１０に係止され、抜け止めされる。なお、このバックアップ材７は、例えば５ｃｍ程度の短いものを間隔をおいて配置する。
【００１９】
そして図２（Ｃ）、（Ｄ）に示すように、目地かくし部材５の支持部５ａを目地部材３、３間に弾発的に押し込み、目地かくし部材５の支持部５ａの先端の被係止部５ｂを目地部材３の係止部３ｂに係止させ、サイディング６、６間の隙間を目地かくし部材５で覆う。この状態では、軟質部材４はサイディング６の端面に押しつけられ圧縮され、図１に示したサイディング６、６間の目地役物３０が完成する。
【００２０】
このような構造においては、湿式の場合のようにシール材の乾燥を待つ必要がなく、工期が短縮される。また、軟質部材４は後付けされるバックアップ材７や目地かくし部材５によってサイディング６の端面に押し付けられるので、図７に示したように、サイディング６を軟質部材４０、４１間に嵌め込む場合に比較して圧縮度が向上し、気水密性が向上する。
【００２１】
また、目地かくし部材５やバックアップ材７を除去すれば、目地部材３を取り外すことができ、軟質部材４を目地部材３と共に交換することが可能であり、メンテナンスが容易となる。
【００２２】
なお、バックアップ材７は目地かくし部材５を目地部材３、３間に押し込む作業を容易化するためのものであり、必ずしも必要となるものではない。
【００２３】
図３（Ａ）、（Ｂ）はそれぞれ図２の変形例を示すもので、図３（Ａ）の例は、取付部材１Ａの係合溝２Ａ、２Ａが両側に拡がる形状に形成し、取付部材３Ａ、３Ａは、これらの係合溝２Ａ、２Ａにそれぞれ嵌まって抜け止めされるように、曲成された突部を係止部３ｃ、３ｃとしたものである。
【００２４】
図３（Ｂ）の例は、取付部材１Ｂに片側に拡がる係合溝２Ａを設け、一方の目地部材３Ａには前記と同様に係合溝２Ａに嵌まる曲成された係止部３ｃを形成し、他方の目地部材３ＢはＬ字形に形成し、まずＬ字形の目地部材３Ｂを先行して係合溝２Ａ内に入れ、後で突状の係止部３ｃを有する目地部材３Ａを挿入し、後で入れる目地部材３Ａの係止部３ｃで先に入れた目地部材３Ｂの曲成された先端部３ｄを押さえる。そして、前記同様にバックアップ材７や目地かくし部材５を両目地部材３Ａ、３Ｂ間に押し込むことにより、目地部材３Ａの係止部３ｃが係合溝２Ａに係止されると同時に、目地部材３Ｂの先端部３ｄが目地部材３Ａの係止部３ｃに押えられて両目地部材３Ａ、３Ｂが抜け止めされるように構成したものである。
【００２５】
図３（Ａ）、（Ｂ）の構造においても、図２に示したものと同様の工程によってサイディング６、６間の隙間が目地かくし部材５により覆われ、工期短縮、気水密性の向上、メンテナンスの容易化の効果が得られる。ただし、これらの例においては、前記側方に拡大された係合溝２Ａに係止部３ｃが係止されるという構造を採用しているので、図２のように、中央に係止部１０を有するものに比較して取付部材１Ａ、１Ｂの幅が広くなり、取付部材１Ａ、１Ｂの取付けに障害物がある場合に図２の例に比較して取付けが困難になる場合がある。
【００２６】
図４は本発明の他の実施の形態であり、図１に示したように屋根５２の軒からの突出部の下面に設けられるプレート４８と最上部サイディング６の上端部との間に設けられる目地役物３１として施工されるものである。
【００２７】
図４において、１Ｄは住宅外壁部を構成する躯体４９に固定具４６により取付けられる取付部材である。該取付部材１Ｄは、室外側向きに開口されかつ下方に拡げられた係合溝２Ｂを備える。また、該取付部材１Ｄは、前記係合溝２Ｂよりも室外側に突出した突出片９を有する。
【００２８】
この目地役物３１は、取付部材１Ｄの係合溝２Ｂに、片面に軟質部材４を固着した目地部材３Ｄを、該軟質部材４がサイディング６の上端面に対向するように抜け止め構造により装着する。すなわち、目地部材３Ｄの曲成された係止部３ｅを係合溝２Ｂに係止させて抜け止めする。
【００２９】
そしてバックアップ材７を突出片９と目地部材３Ｄとの間に嵌めておき、突出片９と目地部材３Ｄとの間に、目地かくし部材５Ａの支持部５ｄを圧入し、かつ該支持部５ｄに設けた被係止部５ｅを前記突出片９および前記目地部材３Ｄにそれぞれ設けた係止部９ａ、３ｆに係止させて該目地かくし部材５Ａを前記突出片９と前記目地部材３Ｄ間に装着して目地部材３Ｄを係合溝２Ｂから抜け止めする。
【００３０】
これにより前記目地かくし部材５Ａの屋外片５ｆによってサイディング６の上端部と支持部材４８でなる躯体との間の隙間を覆う。また、目地かくし部材５Ａの圧入により、前記目地部材３Ｄに固着した軟質部材４を対向するサイディング６の上端面と目地部材３Ｄとの間で圧縮する。なお、５０は取付部材１Ｄと屋根等の支持部材４８との間の隙間を閉塞するために設けたゴムやスポンジ等の軟質部材でなるパッキング材である。
【００３１】
このような構造によっても、サイディングの端部の目地役物として、前記同様の効果をあげることができる。
【００３２】
図５（Ａ）〜（Ｄ）は、図１に示した開口部建具３２の枠３３とサイディング６との間の隙間を覆う目地役物３４を組立工程と共に示す図であり、図５の例は、図４の例と向きが異なるだけで基本構造は同様である。図５（Ａ）、（Ｂ）において、１Ｄは建具枠３３を固定する柱３５に固定具４６により固定される取付部材であり、室外側に開口しかつ側方に拡げて係止部とした係合溝２Ｂを有する。また、該取付部材１Ｄは、室外側に突出した突出片９を有する。
【００３３】
この目地役物は、図５（Ｂ）に示すように、取付部材１Ｄを柱３５に固定具４６により固定しておき、取付部材１Ｄの係合溝２Ｂに、図５（Ｂ）、（Ｃ）に示すように、片面に軟質部材４を固着した目地部材３Ｄを、該軟質部材４がサイディング６の端面に対向するように装着する。このとき、目地部材３Ｄの曲成された係止部３ｅを係合溝２Ｂに係止させる。
【００３４】
そして図５（Ｃ）に示すようにバックアップ材７を突出片９と目地部材３Ｄとの間に嵌めておき、図５（Ｄ）に示すように、突出片と９と目地部材３Ｄとの間に、目地かくし部材５Ｂの支持部５ｆを圧入し、かつ該支持部５ｆに設けた被係止部５ｇを前記突出片９および前記目地部材３Ｄにそれぞれ設けた係止部９ａ、３ｆに係止させて該目地かくし部材５Ｂを前記突出片９と前記目地部材３Ｄ間に装着する。これにより、目地部材３Ｄは係合溝２Ｂから抜け止めされる。
【００３５】
また、前記目地かくし部材５Ｂの屋外片５ｈによってサイディング６の端部と建具枠３３との間の隙間を覆う。また、目地かくし部材５Ｂの圧入により、前記目地部材３Ｄに固着した軟質部材４を対向するサイディング６の端面と目地部材３Ｄとの間で圧縮する。５１は取付部材１Ｄと建具枠３３との間の隙間を閉塞するために設けたゴムやスポンジ等の軟質部材でなるパッキング材である。
【００３６】
このような構造により、建具３２の枠３３とサイディング６の端部との間の隙間を覆うことができ、前記工期短縮、気水密性の向上、メンテナンスの容易化の効果を得ることができる。
【００３７】
図６は、前記建具枠３３の構造を変えることにより、建具枠３３が前記取付部材１Ｄの役目も果たすように構成したものである。すなわち、図６（Ａ）に示すように、建具枠３３に、室外側向きに開口された係合溝２Ｄを備えると共に、前記係合溝２Ｄよりも室外側に突出した突出片９Ａを有する取付部３３ａを設ける。
【００３８】
そして、図６（Ｂ）、（Ｃ）に示すように、前記枠３３の係合溝２Ｄに、片面に軟質部材４を固着した目地部材３Ｅを、該軟質部材４がサイディング６の端面に対向するように装着する。このとき目地部材３Ｄに設けた曲成された係止部３ｇを、係合溝２Ｄの側方への拡がり部に係止させる。
【００３９】
そして図６（Ｄ）に示すように、前記突出片９Ａと前記目地部材３Ｅとの間に、目地かくし部材５Ｄの支持部５ｉを圧入し、かつ該支持部５ｉに設けた被係止部５ｊを、前記突出片９Ａおよび前記目地部材３Ｅに設けた係止部９ｂ、３ｈに係止させて該目地かくし部材５Ｄを前記突出片９Ａと前記目地部材３Ｅ間に装着する。
【００４０】
これにより前記目地かくし部材５Ｄの屋外片５ｋによってサイディング６の端部と前記開口部建具枠３３との隙間を覆う。また、前記目地部材３Ｅに固着した軟質部材４を対向するサイディング６の端面と目地部材３Ｅとの間で圧縮する。
【００４１】
図５の目地役物と図６の目地役物とを比較した場合、図５のように取付部材１Ｄを建具枠３３と別体に構成すれば、既設の建具枠３３にも本発明を適用できるという利点がある。また、図６のように建具枠３３に目地部材３Ｅや目地かくし部材５Ｄの取付部３３ａを構成すれば、部品点数が低減され、構成が簡単になるという利点がある。
【００４２】
本発明は、サイディング６が縦向きに施工される場合にも適用でき、また、サイディングが金属製である場合にも適用できる。なお、目地かくし部材５、５Ａ、５Ｂの材質は、図２、図３の実施例では硬質塩化ビニル樹脂製であり、図４、図５の実施例ではアルミニウム合金製押出形材であるが、しかし、他の材質のものも用いることができる。また、図４ないし図６の実施例において、突出片９、９Ａと目地部材３Ｄ、３Ｅの双方に係止部９ａ、９ｂおよび３ｆ、３ｈを設けるのではなく、いずれか一方のみを設けてもよい。また、本発明において、取付部材、目地部材、目地かくし部材、サイディング、建具枠等について種々の変更、付加が可能である。
【００４３】
【発明の効果】
請求項１によれば、室外側向きに開口された係合溝を備えた取付部材を躯体に取付け、該取付部材の係合溝に、片面に軟質部材を固着した２つの目地部材を、各軟質部材がそれぞれ隣接するサイディングの端面に対向するように装着し、前記２つの取付部材間に、目地かくし部材の支持部を圧入して前記目地部材を前記取付部材の係合溝に抜け出し不能に係止させると共に、該支持部に設けた被係止部を前記目地部材に設けた係止部に係止させて目地かくし部材を抜け止めし、前記目地かくし部材の屋外片によりサイディング間の隙間を覆い、前記２つの目地部材にそれぞれ固着した軟質部材をそれぞれ対向するサイディングの端面と前記目地部材との間で圧縮したので、乾式目地が構成され、施工を早く行うことができる。また、部材の支持部を屋外側から押し込むことによって軟質部材が圧縮されるので、気水密性が上り、雨仕舞が良好となる。また、軟質部材を固着した目地部材が交換可能であるため、メンテナンスが容易となる。
【００４４】
請求項２によれば、取付部材に突出片を設け、該突出片と目地部材との間に前記目地かくし部材を装着し、サイディングの端部と屋根等のコーナー部との間を目地かくし部材で覆ったので、サイディング端部に設ける目地役物において、請求項１と同様の工期短縮、気水密性の向上、メンテナンスの容易化の効果をあげることができる。
【００４５】
請求項３によれば、建具枠を設ける躯体に、突出片を有する取付部材を固定し、該突出片と目地部材との間に前記目地かくし部材を装着し、サイディングの端部と建具枠との間の隙間を目地かくし部材で覆ったので、建具枠とサイディング端部に設ける目地役物において、請求項１、２と同様の工期短縮、気水密性の向上、メンテナンスの容易化の効果をあげることができる。また、取付部材が建具枠と別体であるから、既設の建具枠に対して施工が可能である。
【００４６】
請求項４によれば、開口部建具枠に、突出片と係合溝を有する取付部を設け、前記係合溝に取付ける目地部材と前記突出片との間に前記目地かくし部材を装着し、サイディングの端部と建具枠との間の隙間を目地かくし部材で覆ったので、建具枠とサイディング端部に設ける目地役物において、請求項１、２と同様の工期短縮、気水密性の向上、メンテナンスの容易化の効果をあげることができる。また、建具枠に目地部材や目地かくし部材の取付部を設けたので、部品点数が低減され、構造が簡単となり、価格の低減が可能となる。
【図面の簡単な説明】
【図１】  本発明のサイディング端部の目地構造の適用例を示す建物壁面の斜視図である。
【図２】（Ａ）〜（Ｄ）は本発明によるサイディング端部の目地構造の一実施の形態を組立工程と共に示す水平断面図である。
【図３】（Ａ）、（Ｂ）はそれぞれ図２の変形例を示す水平断面図である。
【図４】本発明によるサイディング端部の目地構造の他の実施の形態を示す縦断面図である。
【図５】（Ａ）〜（Ｄ）は本発明によるサイディング端部の目地構造の他の実施の形態を組立工程と共に示す水平断面図である。
【図６】（Ａ）〜（Ｄ）は本発明によるサイディング端部の目地構造の他の実施の形態を組立工程と共に示す水平断面図である。
【図７】公知のサイディング端部の目地構造を示す水平断面図である。
【符号の説明】
１、１Ａ〜１Ｄ：取付部材、２、２Ａ〜２Ｄ：係合溝、３、３Ａ〜３Ｅ：目地部材、３ａ、３ｂ、３ｃ、３ｅ、３ｆ、３ｇ、３ｈ：（目地部材に設けた）係止部、４：軟質部材、５：目地かくし部材、５ａ、５ｄ、５ｆ、５ｉ：支持部、５ｂ、５ｅ、５ｇ、５ｊ：被係止部、５ｃ、５ｆ、５ｈ、５ｋ：屋外片、６：サイディング、７：バックアップ材、９、９Ａ〜９Ｄ：突出片、９ａ、９ｂ：（突出片に設けた）係止部、３０、３１、３４：目地役物、３３：開口部建具枠、３３ａ：取付部
【図１】
0003958873.tif 000002
【図２】
0003958873.tif 000003
【図３】
0003958873.tif 000004
【図４】
0003958873.tif 000005
【図５】
0003958873.tif 000006
【図６】
0003958873.tif 000007
【図７】
0003958873.tif 000008